(57)【要約】【課題】２４時間換気を行ってもコールドドラフトの問題が発生することのない換気装置を提供する。【解決手段】浴室Ｒ１の空気を吸い込む第１吸込口２と、他の室の空気を吸い込む第２吸込口３と、第１吸込口２や第２吸込口３から吸い込んだ空気を排気する排気口４と、第１吸込口２や第２吸込口３から空気を吸い込んで排気口４へ送風するシロッコファン６とを備えた換気装置１あって、第１吸込口２または第２吸込口３のうち少なくとも１つの吸込口から常時吸い込むように常時換気機能を有し、第１吸込口２にこの第１吸込口２を開閉するシャッタ１０を設け、このシャッタ１０はスイッチＳの操作によって開閉する。【選択図】  図１
2004257685.tif 000002
【特許請求の範囲】
【請求項１】
浴室の空気を吸い込む第１吸込口と、他の室の空気を吸い込む第２吸込口と、第１吸込口や第２吸込口から吸い込んだ空気を排気する排気口と、前記第１吸込口や第２吸込口から空気を吸い込んで前記排気口へ送風する送風手段とを備えた換気装置であって、
前記第１吸込口または第２吸込口のうち少なくとも１つの吸込口から常時吸い込むような常時換気機能を有し、
前記第１吸込口にこの第１吸込口を開閉する開閉手段を設け、
該開閉手段はスイッチの操作によって開閉することを特徴とする換気装置。
【発明の詳細な説明】
【０００１】
【発明の属する技術分野】
この発明は、室内の換気を行う換気装置に関する。
【０００２】
【従来の技術】
従来から、浴室の空気を吸い込んで外へ排気したり、浴室の空気を吸い込むとともにこの吸い込んだ空気を暖めて浴室へ戻したりする換気装置が知られている（特許文献１参照）。
【０００３】
かかる換気装置は、浴室の空気を吸い込む吸込口と、この吸込口から吸い込んだ空気を外へ排気する排気口とを本体ケースに設け、この本体ケース内には換気用のシロッコファンが設けられている。
【０００４】
この換気装置は、換気用のシロッコファンの回転により浴室の空気を吸込口から吸い込んで本体ケースの排気口からダクトを介して外へ排気するようになっている。
【０００５】
【特許文献１】
特開平７−３２４７９１号公報（段落１９、図１参照）
【０００６】
【発明が解決しようとする課題】
しかしながら、このような換気装置では、浴室の換気すなわち局所換気しか行うことができない。そこで、本体ケースの側壁に別な吸込口を形成し、この別な吸込口と他の室とをダクトで連通するとともに、換気用のシロッコファンの回転により別な吸込口から他の室内の空気を吸い込めるようにすれば、浴室用の換気装置であっても他の室の換気を常時行うようにすることができる。
【０００７】
また、このような換気装置は局所換気扇であり、住宅を常時換気する常時低風量換気を意識した換気扇ではない。このため、この局所換気扇の電源をオンにして常時換気扇として利用すると、音がうるさくなるとともに、局所換気扇であることにより風量が大きく、必要以上に換気されてしまういわゆる過換気となり、当然室内にも外気が必要以上に供給されて寒さを感じてしまう場合がある。
【０００８】
また、このように浴室用換気を行ってしまうと、浴室でも常時換気が行われることにより、入浴者の濡れた体に風が当たり、気化熱が奪われることにより、入浴の際に寒さを感じてしまういわゆるコールドドラフトの問題が発生する。
【０００９】
この発明の目的は、常時換気を行ってもコールドドラフトの問題が発生することのない換気装置を提供することにある。
【００１０】
【課題を解決するための手段】
上記目的を達成するため、請求項１の発明は、浴室の空気を吸い込む第１吸込口と、他の室の空気を吸い込む第２吸込口と、第１吸込口や第２吸込口から吸い込んだ空気を排気する排気口と、前記第１吸込口や第２吸込口から空気を吸い込んで前記排気口へ送風する送風手段とを備えた換気装置であって、
前記第１吸込口または第２吸込口のうち少なくとも１つの吸込口から常時吸い込むような常時換気機能を有し、
前記第１吸込口にこの第１吸込口を開閉する開閉手段を設け、
該開閉手段はスイッチの操作によって開閉することを特徴とする。
【００１１】
【発明の実施の形態】
以下、この発明に係わる換気装置の実施の形態を図面に基づいて説明する。
［第１実施形態］
図１において、１は浴室用の換気装置であり、この換気装置１の本体ケースＫには、浴室Ｒ１の空気を吸い込む第１吸込口２と、他の室Ｒ２（脱衣室）の空気を吸い込む第２吸込口３と、第１吸込口２や第２吸込口３から吸い込んだ空気を排気する排気口４とが設けられている。この排気口４には図示しないダクトジョイントを介して排気ダクト５が接続されており、排気口４から排気される空気は排気ダクト５を介して外へ排気されるようになっている。第１吸込口２は、フロントパネルＦによって覆われており、このフロントパネルＦに設けた図示しない複数の吸込開口と連通している。
【００１２】
本体ケースＫ内には、第１吸込口２や第２吸込口３から空気を吸い込んで排気口４へ送風する換気用のシロッコファン（送風手段）６が設けられている。Ｍ１はシロッコファン６を回転させるモータである。
【００１３】
また、本体ケースＫの第１吸込口２には、この第１吸込口２の開閉を行うシャッタ（開閉手段）１０が設けられており、このシャッタ１０の開閉動作はモータＭ２によって行われる。モータＭ２はスイッチＳがオンされることにより動作してシャッタ１０を全開し、シャッタ１０が全開されるとその駆動は停止される。また、スイッチＳがオフされると、モータＭ２は駆動されてシャッタ１０を全閉にする。シャッタ１０が全閉になるとモータＭ２の駆動が停止するようになっている。スイッチＳは例えば脱衣室Ｒ２等に設けておく。
【００１４】
シャッタ１０は、例えば図２に示すように円板１０Ａから構成され、この円板に複数の扇状の開口１０ａを等間隔に形成したものである。そして、この円板１０ＡをモータＭ２によって回転させることにより、第１吸込口２の開閉を行うものである。なお、第１吸込口２は、開口１０ａと同様に複数の扇状の開口から形成されており、第１吸込口２の開口とシャッタ１０の開口１０ａとが対向したとき第１吸込口２が全開し、第１吸込口２の開口と開口との間にシャッタ１０の開口１０ａが位置したとき第１吸込口２は全閉するようになっている。
【００１５】
本体ケースＫの第２吸込口３には、図示しないダクドジョイントを介してダクト７の一端が接続されており、このダクト７の他端は脱衣室Ｒ２の天井８に設けた吸込開口９に接続されている。第２吸込口３の大きさは、２４時間換気を行う際に適正な風量が得られるように設定されている。すなわち、換気装置１は常時換気機能を有している。１１は吸込開口９に設けた吸込グリルである。
［動  作］
次に、上記のように構成される換気装置１の動作について説明する。
【００１６】
スイッチＳがオフのときシャッタ１０は閉じており、第１吸込口２は閉成している。一方、モータＭ１は２４時間駆動されており、この駆動によりシロッコファン６が回転して、本体ケースＫの第２吸込口３からダクト７および脱衣室Ｒ２の吸込開口９を介して脱衣室Ｒ２の空気が吸い込まれていく。この第２吸込口３に吸い込まれた空気は排気口４から排気ダクト５を介して外へ排気され、脱衣室Ｒ２の換気やこの脱衣室Ｒ２を介して他の室（居室）内の換気が２４時間行われることになる。
【００１７】
ところで、住宅の高気密化により、住宅内では十分な換気を行わないと、カーペット，フローリング，クロスなどの建材から発生するホルムアルデヒドや揮発有機化合物などの濃度が高くなってしまう。このため、特に高気密化の住宅では２４時間換気（常時換気）を行う必要がある。この換気装置１は、２４時間換気を行うので、カーペット，フローリング，クロスなどの建材から発生するホルムアルデヒドや揮発有機化合物などの濃度が高くなってしまうことを防止することができる。また、住宅全体で必要換気風量（住宅の容積の０．５回／ｈ）になるように、換気装置１のみで換気量が足りるように設定してもよく、住宅の容積が大きい場合には不足分をパイプファンなどの小型の換気扇を用いて補うようにすることができ、コールドドラフトを感じることがなく、且つ適正な換気風量を満たすことができる。
【００１８】
他方、第１吸込口２はシャッタ１０により閉塞されているので、浴室Ｒ１の換気は行われない。このため、入浴者に換気時の風が濡れた体に当たって気化熱が奪われることによって生じる寒さを感じさせてしまうことを防止できる。すなわち、コールドドラフトを防止できる。
【００１９】
浴室Ｒ１の換気を行う場合にはスイッチＳをオンにする。このスイッチＳがオンになると、モータＭ２が駆動してシャッタ１０が開成され、第１吸込口２から浴室Ｒ１の空気が吸い込まれていき、この吸い込まれた浴室Ｒ１の空気は排気口４から排気ダクト５を介して外へ排気され、浴室Ｒ１の換気が行われる。このとき、脱衣室Ｒ２および浴室の換気量がそれぞれ１／２となり、全体としての換気量が常に一定となるようになっている。
【００２０】
ところで、浴室Ｒ１の換気は、入浴時を避けて行なえばよいのでコールドドラフト等の問題は生じない。
【００２１】
このように、浴室用の換気装置１によって脱衣室Ｒ２等の室内の２４時間換気を行っていても、入浴時を避けて浴室Ｒ１の換気を行うことができるのでコールドドラフトの問題は発生しないことになる。
【００２２】
この第１実施形態では、第２吸込口３から脱衣室Ｒ２の空気を吸い込むようにしているが、これに限らず、他の室内の空気を吸い込むようにしてもよい。
【００２３】
浴室Ｒ１に設けた換気装置１によって行う居室等の換気は、図３に示すように、ドアＤ１〜Ｄ３のアンダカット部を利用して常時換気を行うものであるが、居室ＲＤ１，ＲＤ２への給気はその居室ＲＤ１，ＲＤ２に設けられた給気口Ｑ１，Ｑ２などにより行われ、居室ＲＤ１，ＲＤ２に給気された空気は各居室ＲＤ１，ＲＤ２のドアＤ１，Ｄ２のアンダカット部より廊下Ｒ３を介して脱衣室Ｒ２と浴室Ｒ１とに導かれ、脱衣室Ｒ２や浴室Ｒ１の吸込口２，９へ吸い込まれるようになっている。この換気装置１を用いることにより少なくとも換気装置１が設置されたフロアでは、建物に設けられ各室内からダクトを介して排出する大がかりな中間ダクトやファン等を用いる必要性がない。また、必要換気風量が不足するような住宅容積が大きい場合には、壁に埋め込むような小型のパイプファンＰＦを設ければよい。
【００２４】
また、この換気装置１は常時換気を前提としているが、種々の面を考慮してモータＭ１を停止させる停止スイッチを設けてもよい。この場合、簡単に停止スイッチが押されてしまうことのないようにその停止スイッチに蓋を被せたり、所定時間押し続けたとき停止スイッチが動作するようにしておく。
［第２実施形態］
図４は第２実施形態の換気装置３０を示したものである。この第２実施形態の換気装置３０では、浴室Ｒ１の照明灯３１を点灯させる照明スイッチＳ１をオンにしたとき、シャッタ１０によって第１吸込口２を閉じるようにしたものである。
【００２５】
この第２実施形態の換気装置３０によれば、入浴していないとき、すなわち、照明スイッチＳ１がオフのとき第１吸込開口２は開成されているので、浴室Ｒ１の換気と、脱衣室Ｒ２の換気とが行われることになり、それぞれの換気量は１／２となっていて、全体として所定の換気量となるようになっている。そして、入浴するとき、照明スイッチＳ１をオンにすることにより、照明灯３１が点灯するとともにモータＭ２が駆動してシャッタ１０が第１吸込開口２を閉塞する。
【００２６】
この第１吸込開口２の閉塞により、浴室Ｒ１の換気が停止されるので、コールドドラフトの問題は発生しない。また、浴室Ｒ１の換気が停止されることにより、脱衣室Ｒ２の換気量は２倍となり、全体としての換気量が常に一定となるようになっている。
［第３実施形態］
図５は第３実施形態の換気装置２０を示したものであり、この換気装置２０は、浴室Ｒ１の空気を吸い込む別の吸込口２１と、この吸込口２１から吸い込んだ空気を浴室Ｒ１へ吹き出す吹出口２２とを本体ケース２３に設け、この本体ケース２３に循環用のシロッコファン２４と吹出口２２から吹き出す空気を暖めるヒータ２５とを設けたものである。シロッコファン２４は図示しないモータによって回転するようになっている。
【００２７】
この換気装置２０によれば、第１実施形態と同様に浴室Ｒ１の換気や脱衣室Ｒ２の２４時間換気を行うことができるとともに、シロッコファン２４の回転により吸込口２１から浴室Ｒ１の空気を吸い込み、この吸い込んだ空気をヒータ２５で暖めて吹出口２２から浴室Ｒ１へ吹き出させることにより、浴室Ｒ１の暖房を行うことができる。また、この暖房状態でシャッタ１０を開成して浴室Ｒ１の換気を行うと、浴室Ｒ１の湿った空気が外へ排気されるので、浴室Ｒ１内が乾燥していき、浴室Ｒ１内で衣類などの乾燥が行えることになる。
【００２８】
上記何れの実施形態も、脱衣室Ｒ２の換気を行うようになっているが、これに限らず、例えばトイレや他の室を換気するようにしてもよい。また、本体ケースＫに第３吸込口を設け、第２吸込口３と第３吸込口とで２つの室から空気を吸い込むようにして２４時間換気を行うようにしてもよい。
【００２９】
【発明の効果】
以上説明したように、この発明によれば、浴室用の換気装置で浴室以外の室内の２４時間換気を行っていても、入浴時を避けて浴室の換気を行うことができるのでコールドドラフトの問題は発生しない。
【図面の簡単な説明】
【図１】この発明に係る換気装置の構成を示す概念図である。
【図２】図１の換気装置のシャッタを示した説明図である。
【図３】この発明に係る換気装置を取り付けた建物を示した概念図である。
【図４】第２実施形態の換気装置の構成を示した概念図である。
【図５】第３実施形態の換気装置の構成を示した平面図である。
【符号の説明】
１      換気装置
２            第１吸込口
３            第２吸込口
４            排気口
６            シロッコファン（送風手段）
１０        シャッタ
Ｒ１        浴室
Ｒ２        脱衣室
Ｓ        スイッチ
【図１】
2004257685.tif 000003
【図２】
2004257685.tif 000004
【図３】
2004257685.tif 000005
【図４】
2004257685.tif 000006
【図５】
2004257685.tif 000007